(57)【要約】      （修正有）【課題】服に付着した花粉・埃・菌・黄砂・湿気を一度に取り除く装置にあって、一般家庭でも設置可能な装置を提供する。【解決手段】回転モーター５で回転するハンガー６に掛けた服１８に送風機１２から吹き出した風をエアー送り管１０とヒーター１７を通り、エアー吹き出し管９から服１８に吹き付ける。エアー吹き出し管９は、服の上から下まで斑無く風が当たるように設ける。また、吹き付けた服１８の素地に紫外線ランプ１１からの紫外線が当たるように、紫外線ランプ１１をエアー吹き出し管９の近くに設置する。尚、オゾン発生器２４で発生するオゾンは送風機１２で循環し服１８の隅々まで届くように風の循環する場所に設ける。また、吹き飛ばした花粉・埃・菌はエアー吸い込み口８から回収しフィルター１３でろ過する。ろ過した空気は、再利用する。【選択図】図２
0003152697.tif 000002
【実用新案登録請求の範囲】
【請求項１】
内装上部に設けたハンガーに掛けた服を回転させる回転モーターと、服に風を吹き付ける事とその風を回収する機能を持つ送風機と、服に直角に風を吹き付けるエアー吹き出し管と花粉・埃・菌を含んだ風をろ過するフィルターを設け、又殺菌する為の紫外線ランプと脱臭するオゾン発生器により構成した服の花粉・埃・臭・菌・除去装置。
【請求項２】
エアー吹き出し管を縦方向に並べ、又、対角線上２箇所に設置した請求項１記載の服の花粉・埃・臭・菌・除去装置。
【請求項３】
フィルター交換の手段としてフィルターを設置するフィルター架台と、フィルター架台を引き出すレールと、風が外から内へ入らぬようにフィルター扉とフィルター扉パッキンを備えた請求項１記載の服の花粉・埃・臭・菌・除去装置。
【請求項４】
服に吹き付けた風の吹き溜まりを無くす手段として、半円柱の内装と湾曲した底板を設けた請求項１記載の服の花粉・埃・臭・菌・除去装置。
【請求項５】
服の乾燥手段として送風機に接続したエアー送り管にヒーターを設けた請求項１記載の服の花粉・埃・臭・菌・除去装置。
【請求項６】
花粉・埃・ダニ・雑菌を捕持できる機能を有するフィルターと吸盤受けと一体となった請求項１記載の服の花粉・埃・臭・菌・除去装置。
【請求項７】
吸い込んだ風がフィルターの吸盤から漏れないように、吸盤受けを設けた請求項１記載の服の花粉・埃・臭・菌・除去装置。
【考案の詳細な説明】
【技術分野】
【０００１】  本考案は、服に付着した花粉・埃・臭・菌を除去する装置に関するものである。
【背景技術】
【０００２】  出願番号２００１−１９９０５７のように洋服タンスに風を送りこみ湿気を無くすことをする。又、タンスの中に脱臭剤を置いて脱臭している。
出願番号平９−１５１５９３のように防虫剤やドライクリーニングの溶剤の微粒子から発生するガスを脱臭する装置は考案されている。又、ＩＣ工場など埃をきらう工場では大型の無塵室の中に入り埃を除去し、パチンコ店の中にも脱臭用の室を設けてある。【０００３】  現状の脱臭は、タンスの中に入れる脱臭剤で脱臭するか、菌・花粉・黄砂は服を叩いて落とすか、ドライヤーで吹き飛ばしていた。又、ＩＣ工場やパチンコ店など大掛かりな装置による脱臭・除菌はある。
【考案の開示】
【考案が解決しようとする課題】
【０００４】  しかしながら、このような方法では一般の家庭では服の花粉・埃・臭・菌・湿気の除去を一度に行うことはむずかしい。【０００５】  本考案は服に付着した花粉・埃・臭・菌・湿気を一度に処理する装置を提供することにある。
【課題を解決するための手段】
【０００６】  上記目的を達成する本考案を説明すると、図１の本体１に本体扉４とフィルター室２３用のフィルター扉３を設けたものである。【０００７】  この手段により、服に付いた花粉・埃・菌類を外に出さずに回収できる服の花粉・埃・臭・菌・除去装置が得られる。【０００８】  図２の本体１内側上部にハンガー６を回転させる回転モーター５を設ける。【０００９】  この手段により、ハンガー６に掛けた服１８を回転させることで、服１８にエアー吹き出し管９からの風を斑無く吹き付けることができる服の花粉・埃・臭・菌・除去装置が得られる。【００１０】  また他の手段は図２の服１８に吹き付けた風をエアー吸い込み口８から吸い取り、ろ過するフィルター１３を設ける。【００１１】  この手段により、風に含まれる花粉・埃・菌類をろ過できる。尚、その風を循環させることができる服の花粉・埃・臭・菌・除去装置が得られる。【００１２】  またその手段は、図２の送風機１２をエアー送り管１０の途中に設ける。【００１３】  この手段により、図２の風を服１８に吹き付ける作業と、その風を回収できる効率良い循環式の服の花粉・埃・臭・菌・除去装置が得られる。【００１４】  また他の手段は、図２のエアー送り管１０の途中にヒーター１７を設けた。【００１５】  この手段により、服に付着した水分を取り除き、花粉や埃の除去作業を速くする服の花粉・埃・臭・菌・除去装置が得られる。【００１６】  また他の手段は、図５のエアー送り管１０にエアー吹き出し管９を設けた。【００１７】  この手段により、エアー送り管１０の風をエアー吹き出し管９で必要とする方向に導くことができる服の花粉・埃・臭・菌・除去装置が得られる。【００１８】  また他の手段は、図３・４の内装１５と底板７を設けた。【００１９】  この手段により、内装１５と底板７で花粉・埃・菌の吹き溜まりや付着を抑える効果のある服の花粉・埃・臭・菌・除去装置が得られる。【００２０】  また他の手段は、図３・４の袋状のフィルター１３に吸盤受け２１を設けた。【００２１】  この手段により、フィルター１３をフィルター架台２２に装着しやすく、又、吸盤受け２１と吸盤１６で密着させることができる服の花粉・埃・臭・菌・除去装置が得られる。【００２２】  また他の手段は、図３・４のフィルター１３を交換する為のフィルター架台２２とフィルター１３を引き出す為のレール１４を設けた。【００２３】  この手段により、フィルター架台２２に装着したフィルター１３を本体１より手前に引くことで交換の効率の良い服の花粉・埃・臭・菌・除去装置が得られる。【００２４】  また他の手段は、図２の紫外線のランプ１１をエアー吹き出し管９の近くに設ける。【００２５】  この手段により、風で吹き付けられて開いた服の素地の奥まで紫外線を当てる効率の良い服の花粉・埃・臭・菌・除去装置が得られる。【００２６】  また他の手段は、図２のオゾン発生器２４を設ける。【００２７】  この手段により、循環する風の全体にオゾンを行渡らす効率の良い服の花粉・埃・臭・菌・除去装置が得られる。【００２８】  また他の手段は、図４のエアー吹き出し管９を対角線上２箇所に設ける。【００２９】  この手段により、服１８の暴れを無くす効率の良い服の花粉・埃・臭・菌・除去装置が得られる。
【考案の効果】
【００３０】  本考案によれば、本体１の外に花粉・埃・菌を出さない為、部屋を汚さず又手も汚さずに回収できる効果のある服の花粉・埃・臭・菌・除去装置が提供できる。【００３１】  また、服１８を回転させることで全体に斑無く風を当て花粉・埃・菌を吹き飛ばす効果のある服の花粉・埃・臭・菌・除去装置が提供できる。【００３２】  また、袋状のフィルター１３を使用することで表面積を広くする効果が得られ、長時間の使用と取り換え勝手の良い衛生的に優れた効果のある服の花粉・埃・臭・菌・除去装置が提供できる。【００３３】  また、一台の送風機１２で風の吹き付けと吸い込みの２つの作業を行う効果と、循環させることで本体１の外に花粉・埃・菌が漏れる心配のない効果のある服の花粉・埃・臭・菌・除去装置が提供できる。【００３４】  また、ヒーター１７の熱で服に付着した花粉・埃・菌が乾燥し、服から離れ易くなる効果のある服の花粉・埃・臭・菌・除去装置が提供できる。【００３５】  また、服１の上から下まで均等に斑無く風を吹き付ける効果のある服の花粉・埃・臭・菌・除去装置が提供できる。【００３６】  また、掃除軽減をはかり衛生上良くする効果のある服の花粉・埃・臭・菌・除去装置が提供できる。【００３７】  また、フィルター１３からの風漏れを防ぐ効果のある服の花粉・埃・臭・菌・除去装置が提供できる。【００３８】  また、フィルター１３の交換をし易く、早く、衛生的に作業ができる効果のある服の花粉・埃・臭・菌・除去装置が提供できる。【００３９】  また、紫外線による殺菌効果のある服の花粉・埃・臭・菌・除去装置が提供できる。【００４０】  また、オゾンによる殺菌消臭の効果のある服の花粉・埃・臭・菌・除去装置が提供できる。【００４１】  また、服１へ風を吹き付ける際の服１の暴れを最小限に押さえる効果のある服の花粉・埃・臭・菌・除去装置が提供できる。
【考案を実施するための最良の形態】
【００４２】  図１で示すとうり、この装置は家庭内の洋服タンス程度の大きさとし、手前側に服１８を入れる本体扉４と、下部にフィルター１３交換用フィルター扉３を設ける。また、電源２とタイマー１９を本体１の上部に設ける。【００４３】  また、図２で示すとうり、回転モーター５で回転するハンガー６に掛けた服１８に送風機１２から吹き出した風をエアー送り管１０とヒーター１７を通り、エアー吹き出し管９から服１８に吹き付ける。エアー吹き出し管９は、服の上から下まで斑無く風が当たるように設ける。また、吹き付けた服１８の素地に紫外線ランプ１１からの紫外線が当たるように、紫外線ランプ１１をエアー吹き出し管９の近くに設置する。尚、オゾン発生器２４で発生するオゾンは送風機１２で循環し服１８の隅々まで届くように風の循環する場所に設ける。【００４４】  また、吹き飛ばした花粉・埃・菌はエアー吸い込み口８から回収しフィルター１３でろ過する。尚、フィルター１３の交換は図３・５で示すとうり、フィルター架台２２に差し込んだフィルター１３と一体となった吸盤受け２１とフィルター扉３と一緒にレール１４で引き出して交換する。交換したフィルター１３は、本体１の面にフィルター扉パッキン２０が付き、吸盤受け２１が吸盤１６に付くように押し込みセットする。【００４５】  また、図６で示すとうり、エアー送り管１０から出た風が散乱しないようにエアー吹き出し管９を設け、風の流れを一方向に定める。【００４６】  また、図３・４で示すとうり、風の流れを良くし花粉・埃・菌の吹き溜まりを少なくするために内装１５を半円柱にし底板７を湾曲にした服の花粉・埃・臭・菌・除去装置が提供できる。又、エアー吸い込み口８をラッパ状にし、風の流れの抵抗を少しでも無くし風の流れを良くすることができる。
【産業上の利用可能性】
【００４７】  以上説明したように、外出先から帰ったら服をこの装置に入れ、服に付いた花粉埃・菌を取り除くことにより、家の中を花粉・埃・菌の無い清潔で衛生上良い状態に置くことができる。よって、花粉・埃・菌から体を守ることができる。
【図面の簡単な説明】
【００４８】
【図１】  外側から見た本体正面図
【図２】  側面から見た内部断面図
【図３】  フィルター部を拡大した側面断面図
【図４】  正面から見た内装平面断面図
【図５】  正面から見たフィルター室断面図
【図６】  エアー吹き出し管の拡大図
【符号の説明】
【００４９】      １  本体                １１  紫外線ランプ        ２１  吸盤受け
２  スイッチ            １２  送風機              ２２  フィルター架台
３  フィルター扉        １３  フィルター          ２３  フィルター室
４  扉                  １４  レール              ２４  オゾン発生器
５  回転モーター        １５  内装
６  ハンガー            １６  吸盤
７  底板                １７  ヒーター
８  エアー吸い込み口    １８  服
９  エアー吹き出し管    １９  タイマー
１０  エアー送り管        ２０  フィルター扉パッキン
【図１】
0003152697.tif 000003
【図２】
0003152697.tif 000004
【図３】
0003152697.tif 000005
【図４】
0003152697.tif 000006
【図５】
0003152697.tif 000007
【図６】
0003152697.tif 000008
【手続補正書】
【提出日】平成21年4月18日(2009.4.18)
【手続補正１】
【補正対象書類名】実用新案登録請求の範囲
【補正対象項目名】請求項１
【補正方法】変更
【補正の内容】
【請求項１】
ハンガーに掛けた服を回転させる回転モーターと、服に風を吹き付けてその風を回収する機能を持つ送風機と、服に直角に風を吹き付けるエアー吹き出し管と、花粉・埃・菌を含んだ風をろ過するフィルターを設け、又殺菌する為の紫外線ランプと、脱臭効果のあるオゾン発生器により構成した服の花粉・埃・臭・菌・除去装置。
【手続補正２】
【補正対象書類名】実用新案登録請求の範囲
【補正対象項目名】請求項３
【補正方法】変更
【補正の内容】
【請求項４】
服に吹き付けた風の吹き溜まりを無くす手段として、丸みのある内壁と湾曲した底板を設けた請求項１記載の服の花粉・埃・臭・菌・除去装置。